(57)【要約】      （修正有）【課題】レザーによる頭髪のカットの自由度を向上できるようにし、さらにそのようなカットを比較的簡単に行える頭髪用レザーを提供する。【解決手段】基端１Ａ，１Ｂを回動自在に接続して左右一対の握り柄２Ａ，２Ｂを左右方向に回動自在に設ける。左右一対の握り柄２Ａ，２Ｂの先端側にかみそり本体３Ａ，３Ｂをそれぞれ内向きに取り付けるヘッド部４Ａ，４Ｂを先方に向けて設ける。左右一対の握り柄２Ａ，２Ｂ間左右一対のかみそり本体３Ａ，３Ｂ間に最小隙間Ｘを形成する第１のストッパー手段17を設ける。左右一対のかみそり本体３Ａ，３Ｂにより自由なレザーカットができる。さらに頭髪をレザーカットするときに、かみそり本体３Ａ，３Ｂの刃縁相互が接触するようなことはなくレザーカットができる構成とする。【選択図】図２
0003153103.tif 000002
【実用新案登録請求の範囲】
【請求項１】
基端を回動自在に接続して左右一対の握り柄を左右方向に回動自在に設け、前記左右一対の握り柄側にかみそり本体をそれぞれ内向きに設け、前記左右一対の握り柄側間に前記左右一対の前記かみそり本体間に最小隙間を形成する第１のストッパー手段を設けることを特徴とする頭髪用レザー。
【請求項２】
基端を回動自在に接続して左右一対の握り柄を左右方向に回動自在に設け、前記左右一対の握り柄の先端側にかみそり本体をそれぞれ内向きに取り付けるヘッド部を先方に向けて設け、前記左右一対の握り柄間又は前記ヘッド部間に前記左右一対の前記かみそり本体間に最小隙間を形成する第１のストッパー手段を設けることを特徴とする頭髪用レザー。
【請求項３】
前記第１のストッパー手段は、前記左右一対の握り柄の少なくとも一方に、他方の握り柄に向けて突設した凸部であって、該凸部は前記他方の握り柄に係止可能であることを特徴とする請求項１又は２記載の頭髪用レザー。
【請求項４】
前記第１のストッパー手段は、前記左右一対の握り柄の一方に、前記左右一対の握り柄の他方に向けて突設した第１の凸部と、前記左右一対の握り柄の他方に、前記左右一対の握り柄の一方に向けて突設し前記第１の凸部と係止可能な第２の凸部とからなることを特徴とする請求項３記載の頭髪用レザー。
【請求項５】
前記左右一対の握り柄の基端を軸着し、この軸に捻りコイルバネのコイル部を巻装し、このコイル部の一方の端部より突設する一方の直線部を前記左右一対の握り柄の一方に接続すると共に、前記コイル部の他方の端部より突設する他方の直線部を前記左右一対の握り柄の他方に接続することを特徴とする請求項１〜４のいずれか１項に記載の頭髪用レザー。
【請求項６】
一方の前記握り柄と一方の前記ヘッド部との一方の中間部と、他方の前記握り柄と他方の前記ヘッド部との他方の中間部とに、前記左右一対の前記かみそり本体相互間の内角が９０度以下の最大隙間を形成する第２のストッパー手段を設けることを特徴とする請求項２記載の頭髪用レザー。
【請求項７】
前記握り柄は、合成樹脂製の握り柄本体に金属製の錘を着脱可能に設けたことを特徴とする請求項２に記載の頭髪用レザー。
【請求項８】
前記握り柄は、合成樹脂製の握り柄本体に、金属製の心棒が長手方向に設けられていることを特徴とする請求項２に記載の頭髪用レザー。
【請求項９】
前記心棒は前記ヘッド部に接続していることを特徴とする請求項８記載の頭髪用レザー。
【請求項１０】
前記最小隙間は、０．０５ｍｍ以上に形成されることを特徴とする請求項１〜９のいずれか１項に記載の頭髪用レザー。
【請求項１１】
前記かみそり本体が着脱自在に設けられることを特徴とする請求項１〜９のいずれか１項に記載の頭髪用レザー。
【請求項１２】
前記かみそり本体がホルダーを介して着脱自在に設けられることを特徴とする請求項１１に記載の頭髪用レザー。
【考案の詳細な説明】
【背景技術】
【０００１】
本考案は、かみそり（レザー）を使って頭髪をそぐようにカットするための頭髪用レザーに関するものである。
【０００２】
従来、この種のものとして基端を回動自在に接続して左右一対の握り柄を左右方向に回動自在に設け、前記左右一対の握り柄の先端側にレザー本体を内向きに取り付けるヘッド部を先方に向けて設け、前記左右一対の握り柄の他方に前記レザーの受け台を設け、頭髪をカットするときは頭髪を挟み、そして毛先の方へ滑らせることでカットを行うものである（例えば、特許文献１）。
【先行技術文献】
【特許文献】
【０００３】
【特許文献１】特開平９−３１３７５１号公報
【考案の概要】
【考案が解決しようとする課題】
【０００４】
従来技術においては、左右一対の一方のみにレザーを設けるものであったので、頭髪に対して一方からのカットしかできず、より自由なカットに対応することができなかった。また、従来技術においてはレザーが受け台に接触できるものであったので、カットの際には頭髪の直径、具体的には頭髪の直径はおよそ０．０５ｍｍから０．１５ｍｍの範囲であるので、そのような寸法の間隔をレザーと受け台間に保持しなければならず、使用にあっては熟練を要するものであった。
【０００５】
解決しようとする問題点は、基端を回動自在に接続して左右一対の握り柄を左右方向に回動自在に設け、前記握り柄の先端側にレザー本体を設けた頭髪用レザーにおいて、レザーによる頭髪のカットの自由度を向上できるようにし、さらにそのようなカットを比較的簡単に行えるようにすることを目的とする。
【課題を解決するための手段】
【０００６】
請求項１の考案は、基端を回動自在に接続して左右一対の握り柄を左右方向に回動自在に設け、前記左右一対の握り柄側にかみそり本体をそれぞれ内向きに設け、前記左右一対の握り柄側間に前記左右一対の前記かみそり本体間に最小隙間を形成する第１のストッパー手段を設けることを特徴とする頭髪用レザーである。
【０００７】
請求項２の考案は、基端を回動自在に接続して左右一対の握り柄を左右方向に回動自在に設け、前記左右一対の握り柄の先端側にかみそり本体をそれぞれ内向きに取り付けるヘッド部を先方に向けて設け、前記左右一対の握り柄間又は前記ヘッド部間に前記左右一対の前記かみそり本体間に最小隙間を形成する第１のストッパー手段を設けることを特徴とする頭髪用レザーである。
【０００８】
請求項３の考案は、前記第１のストッパー手段は、前記左右一対の握り柄の少なくとも一方に、他方の握り柄に向けて突設した凸部であって、該凸部は前記他方の握り柄に係止可能であることを特徴とする請求項１又は２記載の頭髪用レザーである。
【０００９】
請求項４の考案は、前記第１のストッパー手段は、前記左右一対の握り柄の一方に、前記左右一対の握り柄の他方に向けて突設した第１の凸部と、前記左右一対の握り柄の他方に、前記左右一対の握り柄の一方に向けて突設し前記第１の凸部と係止可能な第２の凸部とからなることを特徴とする請求項３記載の頭髪用レザーである。
【００１０】
請求項５の考案は、前記左右一対の握り柄の基端を軸着し、この軸に捻りコイルバネのコイル部を巻装し、このコイル部の一方の端部より突設する一方の直線部を前記左右一対の握り柄の一方に接続すると共に、前記コイル部の他方の端部より突設する他方の直線部を前記左右一対の握り柄の他方に接続することを特徴とする請求項１〜４のいずれか１項に記載の頭髪用レザーである。
【００１１】
請求項６の考案は、一方の前記握り柄と一方の前記ヘッド部との一方の中間部と、他方の前記握り柄と他方の前記ヘッド部との他方の中間部とに、前記左右一対の前記かみそり本体相互間の挟角が９０度以下の最大隙間を形成する第２のストッパー手段を設けることを特徴とする請求項２記載の頭髪用レザーである。
【００１２】
請求項７の考案は、前記握り柄は、合成樹脂製の握り柄本体に金属製の錘を着脱可能に設けたことを特徴とする請求項２に記載の頭髪用レザーである。
【００１３】
請求項８の考案は、前記握り柄は、合成樹脂製の握り柄本体に、金属製の心棒が長手方向に設けられていることを特徴とする請求項２に記載の頭髪用レザーである。
【００１４】
請求項９の考案は、前記心棒は前記ヘッド部に接続していることを特徴とする請求項８記載の頭髪用レザーである。
【００１５】
請求項１０の考案は、前記最小隙間は、０．０５ｍｍ以上に形成されることを特徴とする請求項１〜９のいずれか１項に記載の頭髪用レザー
請求項１１の考案は、前記かみそり本体が着脱自在に設けられることを特徴とする請求項１〜９のいずれか１項に記載の頭髪用レザーである。
【００１６】
請求項１２の考案は、前記かみそり本体がホルダーを介して着脱自在に設けられることを特徴とする請求項１１に記載の頭髪用レザーである。
【考案の効果】
【００１７】
請求項１の考案によれば、左右一対のかみそり本体により自由なレザーカットができ、さらに頭髪をレザーカットするときに、頭髪をハサミのようにせん断によりカットするおそれをなくしてレザーカットすることができる。
【００１８】
請求項２の考案によれば、握り柄の先端側に左右一対のかみそり本体を設けて、握り部を握って左右一対のかみそり本体により自由なレザーカットができ、さらに頭髪をレザーカットするときに、頭髪をハサミのようにせん断によりカットするおそれをなくしてレザーカットすることができる。
【００１９】
請求項３の考案によれば、第１のストッパー手段では局部的な係止となってがたつきなどなく最小隙間を確保できる。
【００２０】
請求項４の考案によれば、左右一対の握り柄のそれぞれにおいて局部的な係止が形成される。
【００２１】
請求項５の考案によれば、握り部を開くように付勢する手段として専用の捻りコイルバネを設けるので、付勢する手段の耐久性などを向上することができる。
【００２２】
請求項６の考案によれば、頭髪を剥くとき、握り柄のほうに頭髪が入り込もうとする頭髪を防ぐことなどができる。
【００２３】
請求項７の考案によれば、握り柄における錘の有無でかみそり本体側の軽さを調整することができる。
【００２４】
請求項８の考案によれば、握り柄の強度を高めて、耐強度を高めることができる。
【００２５】
請求項９の考案によれば、ヘッド部と握り柄との間の強度も向上することができる。
【００２６】
請求項１０の考案によれば、頭髪を挟んでせん断によって切断するようなことを確実に阻止できる。
【００２７】
請求項１１の考案によれば、切れ味が低下したとき、かみそり本体を交換できる。
【００２８】
請求項１２の考案によれば、切れ味が低下したとき、かみそり本体をホルダーを介して交換できる。
【図面の簡単な説明】
【００２９】
【図１】本考案の第１実施例を示す開いた状態の斜視図である。
【図２】同閉じた状態の斜視図である。
【図３】同閉じた状態の断面図である。
【図４】同コイルバネまわりの分解斜視図である。
【図５】同心棒まわりの分解斜視図である。
【図６】本考案の第２実施例を示す斜視図である。
【考案を実施するための最良の形態】
【００３０】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００３１】
図１〜図５は実施例１を示しており、頭髪用レザーは、左右一対の基端１Ａ，１Ｂを回動自在に接続した丸棒状の左右一対の握り柄２Ａ，２Ｂと、この左右一対の握り柄２Ａ，２Ｂに先方に向けて設けたレザー本体である、平面が矩形で薄くて刃が鋭いかみそり本体３Ａ，３Ｂを取り付けるヘッド部４Ａ，４Ｂを備える。そして、頭髪用レザーは、かみそり本体３Ａ，３Ｂと、そのホルダー１からなり、ホルダー１は握り柄２Ａ，２Ｂ、ヘッド部４Ａ，４Ｂなどによって構成される。
【００３２】
左右一対の基端１Ａ，１Ｂは円筒状の軸５を介して軸着したもので、一方の基端１Ａ，１Ｂの孔６Ａからビス７を挿入して、このビス７を円筒状の軸５、他方の基端１Ｂの孔６Ｂを通し、そしてこの孔６Ｂの外側からナット８を螺子止めすることで、左右一対の基端１Ａ，１Ｂを回動自在に接続している。そして一方の基端１Ａと他方の基端１Ｂとの間にはねじりコイルバネ９を介在している。このねじりコイルバネ９は、コイル部10を円筒状の軸５の外側に回動自在に巻装し、そしてねじりコイルバネ９の一端から突設する一方の直線部11Ａを一方の基端１Ａ側から一方の握り柄２Ａに挿入して固定し、コイルバネ９の他端から突設する他方の直線部11Ｂを他方の基端１Ｂ側から他方の握り柄２Ｂに挿入して固定することで、コイルバネ９部の中心線（図示せず）のまわりに生ずるねじりモーメントによって、左右一対の握り柄２Ａ，２Ｂ間を開くように付勢する。尚、ビス７の頭部やナット８は化粧カバー12Ａ，12Ｂによってそれぞれ覆い隠されるようになっている。
【００３３】
左右一対のヘッド部４Ａ，４Ｂには、かみそり本体３Ａ，３Ｂの保持部としての溝部13Ａ，13Ｂがそれぞれ設けられている。この溝部13Ａ，13Ｂの開口部14Ａ，14Ｂは内向き、すなわち左右一対のヘッド部４Ａ，４Ｂ間の内側向きに開口しており、かつ溝部13Ａ，13Ｂの開口部14Ａ，14Ｂの長手方向は先方へ向けている。したがって、溝部13Ａ，13Ｂに背部15Ａ，15Ｂ側を圧入することで刃縁16Ａ，16Ｂが内向きとなって、しかもその長手方向が先方へ向けられてかみそり本体３Ａ，３Ｂは着脱自在に固定されている。尚、実施例ではいずれの溝部13Ａ，13Ｂの開口部14Ａ，14Ｂも斜め下向きとなって内向きに設けられている。このため、溝部13Ａ，13Ｂに取り付けたかみそり本体３Ａ，３Ｂの刃縁16Ａ，16Ｂも斜め下向きとなって内向きに設けられている。従って、左右一対の握り柄２Ａ，２Ｂ、ひいては左右一対のヘッド部４Ａ，４Ｂを閉じるようにした状態では、左右一対のかみそり本体３Ａ，３Ｂの刃縁16Ａ，16Ｂは相互に平行に対向することができるようになっている。
【００３４】
さらに、前記一方の握り柄２Ａ、ひいては一方のヘッド部４Ａと、他方の握り柄２Ｂ、ひいては他方のヘッド部４Ｂとの間に、第１のストッパー手段17を設ける。この第１のストッパー手段17は、一方の握り柄２Ａの内側の面に設けられる第１の凸部17Ａと他方の握り柄２Ｂの内側の面に設けられる第２の凸部17Ｂからなる。第１の凸部17Ａは、一方の握り柄２Ａにおける基端１Ａ側、先端側及びそれらの中間に３箇所に設けられている。同様に、前記他方の握り柄２Ｂの内側の面に設けられる第２の凸部17Ｂは、他方の握り柄２Ｂにおける基端１Ｂ側、先端側及びそれらの中間に３箇所に設けられているものであって、左右一対の握り柄２Ａ，２Ｂ、ひいては左右一対のヘッド部４Ａ，４Ｂを閉じるようにした状態では、第１の凸部17Ａの先端に第２の凸部17Ｂの先端が突き当たって係止できるようになっている。
【００３５】
そして、左右一対のかみそり本体３Ａ，３Ｂ相互の刃縁16Ａ，16Ｂ間が相互に接して隙間がなくなるのではなく、刃縁16Ａ，16Ｂ間が相互に僅かな隙間である最小隙間Ｘを確保できるようになったときに、第１の凸部17Ａと第２の凸部17Ｂとが係止して、それ以上に左右一対の握り柄２Ａ，２Ｂ、ひいては左右一対のかみそり本体３Ａ，３Ｂの刃縁16Ａ，16Ｂ相互間が狭くならないようになっている。さらに、頭髪の直径はおよそ０．０５ｍｍから０．１５ｍｍの範囲であるので、前記最小隙間Ｘは、０．０５ｍｍ以上に形成されている。
【００３６】
さらに、一方の握り柄２Ａと一方のヘッド部４Ａとの一方の中間部と、他方の握り柄２Ｂと他方のヘッド部４Ｂとの他方の中間部とに、左右一対のかみそり本体３Ａ，３Ｂの刃縁16Ａ，16Ｂ相互間の最大隙間Ｚを形成する第２のストッパー手段18を設ける。この第２のストッパー手段18は、左右一対の握り柄２Ａ，２Ｂ間、或いは左右一対のヘッド部４Ａ，４Ｂとの間に設けてもよい。この第２のストッパー手段18は、一方のヘッド部４Ａに一端19Ａを固定して接続したフック19の他端19Ｂの内側を他方のヘッド部４Ｂに係止可能に設けたものであり、フック19は左右方向に横長な環状となっている。そして、左右一対のかみそり本体３Ａ，３Ｂの刃縁16Ａ，16Ｂ相互間が広がったときに、広がりすぎを阻止できるようにフック19の他端19Ｂが握り柄２Ｂ側に係止できるようになっている。この場合左右一対のかみそり本体３Ａ，３Ｂ間の内角Ｙが９０度以下、好ましくは５度から３０度程度、さらに好ましくは内角Ｙが１５度前後のときに最大隙間Ｚとなるように係止できるようになっている。これより左右一対のかみそり本体３Ａ，３Ｂが自由に開くことを阻止することができる。
【００３７】
尚、握り柄２Ａ，２Ｂはそれぞれ合成樹脂製の握り柄本体20の表面に、バランスプレートとしての金属製板状をなした錘21が設けられている。この錘21はビスやボルト、嵌着手段などの着脱手段22を介して着脱可能に設けられている。実施例では、握り柄本体20の周囲４面に錘21が配置され、この錘21は中央部でボルトやビスなどで握り柄本体20の表面に押し付けて固定できるようにした場合を示している。
【００３８】
また、握り柄２Ａ，２Ｂにおける握り柄本体20の中心には金属製の心棒22が長手方向に設けられている。この心棒22の取り付けは、握り柄２Ａ，２Ｂに形成した孔に心棒22を挿着してなされる。そして握り柄２Ａ，２Ｂにおける心棒22の先端にヘッド部４Ａ，４Ｂが接続されている。そして前記一方の握り柄２Ａと一方のヘッド部４Ａとの一方の中間部と、他方の握り柄２Ｂと他方のヘッド部４Ｂとの他方の中間部とに、左右一対のかみそり本体３Ａ，３Ｂ相互間の最大隙間Ｚを形成する第２のストッパー手段18を設けている。
【００３９】
次に前記構成についてその作用を説明する。頭髪（図示せず）を剥くときには、左右一対の握り柄２Ａ，２Ｂを握って左右一対のヘッド部４Ａ，４Ｂ、ひいてはかみそり本体３Ａ，３Ｂの刃縁16Ａ，16Ｂ間を狭める。この際、左右一対の握り柄２Ａ，２Ｂは、第２のストッパー手段18によってかみそり本体３Ａ，３Ｂの刃縁16Ａ，16Ｂ間の内角Ｙ、ひいては左右一対の握り柄２Ａ，２Ｂの内角が予め狭められて握り易くなっているので、握りと同時に内角Ｙを調整することができる。そして、かみそり本体３Ａ，３Ｂの刃縁16Ａ，16Ｂの一方或いは両方で頭髪をレザーカットできる。このレザーカットの際に、第１のストッパー手段17によって、かみそり本体３Ａ，３Ｂの刃縁16Ａ，16Ｂ相互が接触することはないので、左右一対のかみそり本体３Ａ，３Ｂの刃縁16Ａ，16Ｂによって頭髪をハサミのようにはさみ切ることが阻止され、確実にレザーカットを行うことができる。
【００４０】
以上のように、前記実施例では請求項１に対応して、基端１Ａ，１Ｂを回動自在に接続して左右一対の握り柄２Ａ，２Ｂを左右方向に回動自在に設け、左右一対の握り柄２Ａ，２Ｂ側にかみそり本体３Ａ，３Ｂをそれぞれ内向きに設け、左右一対の握り柄２Ａ，２Ｂ側間に前記左右一対の前記かみそり本体３Ａ，３Ｂ間に最小隙間Ｘを形成する第１のストッパー手段17を設けることにより、左右一対のかみそり本体３Ａ，３Ｂにより自由なレザーカットができ、さらに頭髪をレザーカットするときに、かみそり本体３Ａ，３Ｂの刃縁16Ａ，16Ｂ相互が接触するようなことはなく、頭髪をハサミのようにせん断によりカットするおそれをなくすことができる。
【００４１】
前記実施例では請求項２に対応して、基端１Ａ，１Ｂを回動自在に接続して左右一対の握り柄２Ａ，２Ｂを左右方向に回動自在に設け、前記左右一対の握り柄２Ａ，２Ｂの先端側にかみそり本体３Ａ，３Ｂをそれぞれ内向きに取り付けるヘッド部４Ａ，４Ｂを先方に向けて設け、前記左右一対の握り柄２Ａ，２Ｂ間に左右一対のかみそり本体３Ａ，３Ｂ間に最小隙間Ｘを形成する第１のストッパー手段17を設けることにより、左右一対の握り柄２Ａ，２Ｂの先端側にそれぞれ設けられた左右一対のかみそり本体３Ａ，３Ｂにより自由なレザーカットができ、さらに頭髪をレザーカットするときに、かみそり本体３Ａ，３Ｂの刃縁16Ａ，16Ｂ相互が接触するようなことはなく、頭髪をハサミのようにせん断によりカットするおそれをなくすことができる。
【００４２】
前記実施例では請求項３に対応して、第１のストッパー手段17は、左右一対の握り柄２Ａ，２Ｂに突設した第１の凸部17Ａ、第２の凸部17Ｂであって、これらは係止可能であることにより、握り柄２Ａ，２Ｂの内面が全面的に係止するのではなく、局部的な係止となってがたつきなどなく最小隙間Ｘを確保でき、レザーカットを正確に仕上げることができる。
【００４３】
前記実施例では請求項４に対応して、第１のストッパー手段17は、左右一対の握り柄２Ａに、握り柄２Ｂに向けて突設した第１の凸部17Ａと、握り柄２Ｂに握り柄２Ａに向けて突設し第１の凸部17Ａと係止可能な第２の凸部17Ｂとからなり、第１の凸部17Ａと第２の凸部17Ｂとを突き合わせることで、左右一対の握り柄２Ａ，２Ｂのそれぞれにおいて局部的な係止が形成され、がたつきなどがいっそうなくなる。
【００４４】
しかも、握り柄２Ａに、握り柄２Ｂを握りしめたとき、第１の凸部17Ａと第２の凸部17Ｂとが合致したところで、ヘッド部４Ａ，４Ｂのかみそり本体３Ａ，３Ｂが頭髪を剥くための間隔を形成している。この際、頭髪の多い人と少ない人を同じように剥けないので、握り柄２Ａ，２Ｂを強く握ることにより第１の凸部17Ａと第２の凸部17Ｂを多少弾性変形させることにより、ヘッド部４Ａ，４Ｂのかみそり本体３Ａ，３Ｂの間隙を狭めて髪剥きの調整をすることができる。
【００４５】
前記実施例では請求項５に対応して、左右一対の握り柄２Ａ，２Ｂの基端１Ａ，１Ｂを軸着し、この軸５に捻りコイルバネ９のコイル部10を巻装し、このコイル部10の一方の端部より突設する一方の直線部11Ａを握り柄２Ａに接続すると共に、コイル部10の他方の端部より突設する他方の直線部11Ｂを握り柄２Ｂの他方に接続することで、捻りコイルバネ９の捻りモーメントを利用して左右一対の握り柄２Ａ，２Ｂを開くように付勢できる。このように開くように付勢する手段として専用の捻りコイルバネ９を利用することで、ばねの耐久性などを向上することができる。
【００４６】
前記実施例では請求項６に対応して、一方の握り柄２Ａと一方のヘッド部４Ａとの一方の中間部と、他方の握り柄２Ｂと他方のヘッド部４Ｂとの他方の中間部とに、左右一対のかみそり本体３Ａ，３Ｂ相互間の内角Ｙが９０度以下の最大隙間Ｚを形成する第２のストッパー手段18を設けることにより、頭髪を剥くとき、握り柄２Ａ，２Ｂのほうに入り込もうとする頭髪を防ぐことができ、また第２のストッパー手段18は、左右のぶれを防ぐ役目もするので余分に頭髪を剥くこともない。
【００４７】
前記実施例では請求項７に対応して、握り柄２Ａ，２Ｂは、合成樹脂製の握り柄本体20に金属製の錘21を着脱可能に設けたことにより、頭髪を剥くとき、頭髪の流れにそってかみそり本体３Ａ，３Ｂを上下させて切るが、時には頭髪に対して少し斜めからカット作業もするが、かみそり本体３Ａ，３Ｂを上下させる度に握り柄２Ａ，２Ｂを開いたり、閉じたりの調整をする。このときにプレート状の錘21の有無で先端側のかみそり本体３Ａ，３Ｂ側の軽さを調整することができる。
【００４８】
前記実施例では請求項８に対応して、前記握り柄２Ａ，２Ｂは、合成樹脂製の握り柄本体21に、金属製の心棒22が長手方向に設けられていることにより、握り柄２Ａ，２Ｂの強度を高めて、耐強度を高めることができる。
【００４９】
前記実施例では請求項９に対応して、前記心棒22はヘッド部４Ａ，４Ｂに接続していることにより、ヘッド部４Ａ，４Ｂと握り柄２Ａ，２Ｂとの間の強度も向上することができる。
【００５０】
前記実施例では請求項１０に対応して、前記最小隙間Ｘは、０．０５ｍｍ以上に形成されることにより、頭髪の直径はおよそ０．０５ｍｍから０．１５ｍｍの範囲であり、このため最小隙間Ｘを０．０５ｍｍ以上とすることで、左右一対のかみそり本体３Ａ，３Ｂが頭髪（図示せず）を挟んでせん断によって切断するようなことを確実に阻止でき、レザーカットを良好に行うことができる。
【００５１】
前記実施例では請求項１１に対応して、かみそり本体３Ａ，３Ｂは溝部13Ａ，13Ｂによってヘッド部４Ａ，４Ｂに対して着脱自在に設けられるので、切れ味が低下したら新たなかみそり本体３Ａ，３Ｂを交換すればよい。
【００５２】
前記実施例では請求項１２に対応して、かみそり本体３Ａ，３Ｂは溝部13Ａ，13Ｂによってヘッド部４Ａ，４Ｂに対してホルダー１を介して着脱自在に設けられるので、切れ味が低下したら新たなかみそり本体３Ａ，３Ｂを交換すればよい。
【実施例２】
【００５３】
図６に示す実施例２は前記実施例１と同一部分には同一符号を付し、その詳細な説明を省略する。実施例２においては、第１のストッパー手段17´を、第２のストッパー手段18と同様に、一方の握り柄２Ａ，２Ｂと一方のヘッド部４Ａ，４Ｂとの一方の中間部と、他方の握り柄２Ａ，２Ｂと他方のヘッド部４Ａ，４Ｂとの他方の中間部とに、第１の凸部17´Ａと第２の凸部17´Ｂとによって形成されているものである。
【００５４】
このようにしても、第１の凸部17´Ａと第２の凸部17´Ｂを係止することで、頭髪をレザーカットするときに、かみそり本体３Ａ，３Ｂの刃縁16Ａ，16Ｂ相互が接触するようなことはなく、頭髪をハサミのようにせん断によりカットするおそれをなくすことができる。
【産業上の利用可能性】
【００５５】
以上のように本考案にかかる頭髪用レザーは、各種の用途に適用できる。例えば、ヘッド部側間に左右一対のかみそり本体間に最小隙間を形成する第１のストッパー手段を設けてもよい。
【符号の説明】
【００５６】
１  ホルダー
１Ａ，１Ｂ  基端
２Ａ，２Ｂ  握り柄
３Ａ，３Ｂ  かみそり本体
４Ａ，４Ｂ  ヘッド部
９  コイルバネ
10  コイル部
11Ａ  11Ｂ  直線部
16Ａ，16Ｂ  刃縁
17  第１のストッパー手段
17Ａ  第１の凸部
17Ｂ  第２の凸部
18  第２のストッパー手段
20  握り柄本体
21  錘
22  心棒
Ｘ  最小隙間
Ｙ  内角
Ｚ  最大隙間
【図１】
0003153103.tif 000003
【図２】
0003153103.tif 000004
【図３】
0003153103.tif 000005
【図４】
0003153103.tif 000006
【図５】
0003153103.tif 000007
【図６】
0003153103.tif 000008